(57)【要約】【課題】例えば建物の屋根や床材の下方に天井板を取付する際に用いる横材の支持金具およびそれを用いた天井板の取付構造に係り、溶接や大掛かりな機械などを用いることなく容易・迅速に施工できるようにする。【解決手段】本発明による支持金具は、建物の屋根や床材等の水平部材の下方に付設される天井板取付用横材の支持金具１０であって、該支持金具１０を、縦片１１と、その縦片の上下両側にほぼ水平に一体に設けた一対の対向片１２・１３とで断面略コ字形に形成すると共に、その下側の対向片１３の下方に、該対向片との間にＨ型鉄骨梁２の下部フランジ２ｂを挟んで固定するための折返し片１４を一体に形成し、上側の対向片１２にボルト螺合用の雌ねじ孔１２ａを形成すると共に、その雌ねじ孔に螺合して、上記一対の対向片間に挿入される上記横材の抜け止め係止用の固定ボルト１５を備えたことを特徴とする。【選択図】  図１
2009250004.tif 000002
【特許請求の範囲】
【請求項１】
建物の屋根や床材等の水平部材の下方に付設される天井板取付用横材の支持金具であって、上記支持金具を、縦片と、その縦片の上下両側にほぼ水平に一体に設けた一対の対向片とで断面略コ字形に形成すると共に、その下側の対向片の下方に、該対向片との間にＨ型鉄骨梁の下部フランジを挟んで固定するための折返し片を一体に形成し、上側の対向片にボルト螺合用の雌ねじ孔を形成すると共に、その雌ねじ孔に螺合して、上記一対の対向片間に挿入される上記横材の抜け止め係止用の固定ボルトを備えたことを特徴とする天井板取付用横材の支持金具。
【請求項２】
上記下側の対向片の幅方向両側に、上記一対の対向片間に挿入される上記横材のずれ止め用の起立片を一体的に設けてなる請求項１に記載の天井板取付用横材の支持金具。
【請求項３】
建物の屋根や床材等の水平部材の下方に付設される天井板の取付構造であって、互いに隣り合うＨ型鉄骨梁の下部フランジに、それぞれ上記請求項１に記載の天井板取付用横材の支持金具を、その各下側の対向片と折返し片との間に上記下部フランジを挟んだ状態で取付け、上記横材の両端部をそれぞれ上記各支持金具の一対の対向片間に挿入すると共に、その各支持金具の上側の対向片に設けた雌ねじ孔に上記固定ボルトねじ込んで上記横材を抜け止め係止し、その横材に天井板を取付け支持させたことを特徴とする天井板の取付構造。
【発明の詳細な説明】
【技術分野】
【０００１】
本発明は、例えば建物の屋根や床材の下方に付設される天井板の取付用横材の支持金具およびそれを用いた天井板の取付構造に関する。更に詳しくは、例えば工場や体育館等で天井板などの仕上げが施されていない建物の屋根や床材として使用されたＡＬＣ（軽量気泡コンクリート）パネル等のコンクリート系パネルに、上部改修工事の衝撃など、設計上加味されない過大な荷重によって上記パネルが破損した場合などの対策として天井板を新たに付設する場合の天井板取付用横材の支持金具およびそれを用いた天井板の取付構造に関するものである。
【背景技術】
【０００２】
一般に建物の屋根や床材等の水平部材では、その上部から、設計時に考慮されない過大な荷重がかかることがある。例えば、防水層などの仕上げ材が経年により老朽化した場合、漏水などを防止するために、上記水平部材の上部で改修工事が行われるが、その際に設計時に加味されない過大な荷重や衝撃が加えられて水平部材が破損することがしばしば起こる。また、設計時に予想されない躯体の変位や変形なども、部材の破損に繋がるケースが見受けられる。特に、天井板などの仕上げが施されない建物においては、この破損した一部の破片が室内に落下するおそれがある。
【０００３】
上記のような対策として、下記特許文献１のように水平部材として複合パネルを用いることによって表面強度の向上を図ったり、下記特許文献２のように水平部材の下面側に張弦梁を設けて水平部材のたわみを矯正すること等が提案されているが、いずれも上部からの過大な荷重による水平部材下面の破片落下防止を考慮した方法ではなく、また水平部材へのビス止めによるボード類の固定なども行われているが、取付け強度面などで問題が出る可能性があった。
【０００４】
図６（ａ）は従来の建物における屋根や床材等の水平部材としてＡＬＣパネル等のコンクリート系パネル１を用いた場合の施工例を示すもので、建物躯体である梁材、特に図の場合はＨ型鉄骨梁２の上部フランジ２ａ上に上記パネル１の両端を載置すると共に、隣り合うパネル１の端部を、上記フランジ２ａ上に溶接等で固着したスラブプレート等の固定用金物３と、その固定用金物３に貫通させて設けた鉄筋４およびモルタル５等を介して固定した構成である。
【０００５】
上記のような水平部材としてＡＬＣパネル等のコンクリート系パネルを採用するに当っては、設計時に建物の用途などに合わせて、パネル上部に加わる仕上げ荷重や積載荷重を考慮し、それらの荷重に耐えうる強度のパネルを使用している。ところが、建物竣工から長い年月が経つと、設計時に考えられていた荷重は考慮されず、例えば図６（ｂ）のようにパネル１の上部に防水層６等を設けたものにあっては、その防水層６の改修工事などにおいて、衝撃や過大な積載荷重Ｐがパネルに加えられることが多い。
【０００６】
上述の場合、パネル劣化の有無に関わらず、上記の衝撃や過大な積載荷重Ｐによって、図６（ｂ）のようにパネルが損傷を受けることがある。その場合でも、パネルの曲げ耐力は安全側に設計されているので、損傷が極端に大きなものでなければ、パネル自体が落下する危険性は少ない。しかし、同図（ｃ）のように損傷した部分の裏面が剥離し、特にパネル下に天井板などの仕上げがない建物においては、室内への破片の落下に繋がるおそれがある。
【０００７】
上記破片落下が起こった場合の対策として、左官材などによる部分補修が行われるケースがあるが、補修部分の再落下の可能性がないわけではない。他に、パネルの下側にネットを張ったり、ボードを張る落下防止策が行われることもあるが、ネットを張る場合は、細かい破片落下を完全に防止することが出来ず、またボードを張る場合は、効果的であるものの、下地を設ける必要があるため、工事が大掛かりとなり、結果としてこれらを省力化するために、パネルに直にビス止めなどで固定されているケースがあり、これも取付強度上好ましくない方法である。また、既存建物はそのほとんどが使用中で、建物用途や室内設備の関係などから、溶接を伴う工事が行えないことも多く、補修対策実施が困難な場合も少なくない。
【０００８】
【特許文献１】特開２００１−２６２７６９号公報
【特許文献２】特開２００３−１８４３１７号公報
【発明の開示】
【発明が解決しようとする課題】
【０００９】
本発明は上記の問題点に鑑みて提案されたもので、破片落下防止対策として屋根や床材の下方に天井板（ボード）を取付けるに当り、溶接や大掛かりな機械などを用いることなく容易・迅速に施工することのできる天井板取付用横材の支持金具および天井板の取付構造を提供することを目的とする。
【課題を解決するための手段】
【００１０】
上記の目的を達成するために本発明による天井板取付用横材の支持金具および天井板の取付構造は、以下の構成としたものである。即ち、本発明による天井板取付用横材の支持金具は、建物の屋根や床材等の水平部材の下方に付設される天井板取付用横材の支持金具であって、上記支持金具を、縦片と、その縦片の上下両側にほぼ水平に一体に設けた一対の対向片とで断面略コ字形に形成すると共に、その下側の対向片に、該対向片との間にＨ型鉄骨梁の下部フランジを挟んで固定するための折返し片を一体に形成し、上側の対向片にボルト螺合用の雌ねじ孔を形成すると共に、その雌ねじ孔に螺合して、上記一対の対向片間に挿入される上記横材の抜け止め係止用の固定ボルトを備えたことを特徴とする。
【００１１】
また本発明による天井板の取付構造は、建物の屋根や床材等の水平部材の下方に付設される天井板の取付構造であって、互いに隣り合うＨ型鉄骨梁の下部フランジに、それぞれ上記請求項１に記載の天井板取付用横材の支持金具を、その各下側の対向片と折返し片との間に上記下部フランジを挟んだ状態で取付け、上記横材の両端部をそれぞれ上記各支持金具の一対の対向片間に挿入すると共に、その各支持金具の上側の対向片に設けた雌ねじ孔に上記固定ボルトねじ込んで上記横材を抜け止め係止し、その横材に天井板を取付け支持させたことを特徴とする。
【発明の効果】
【００１２】
上記のように構成された本発明による天井板取付用横材の支持金具および天井板の取付構造によれば、溶接や大掛かりな機械などを用いることなく、天井仕上げが可能であり、また天井全面のみならず、部分的な仕上げも容易・迅速に行うことができる。これにより、屋根や床材等の水平部材の上部からの過大な荷重などにより生じた破損部分の剥落などが防止でき、安全上極めて有効な対策が可能となる。
【発明を実施するための最良の形態】
【００１３】
以下、本発明による天井板取付用横材の支持金具および天井板の取付構造を図に示す実施形態に基づいて具体的に説明する。図１は本発明による天井板取付用横材の支持金具の一実施形態を示す斜視図である。
【００１４】
本実施形態の支持金具１０は、図１に示すように縦片１１と、その縦片１１の上下両側にほぼ水平に一体に設けた一対の対向片１２・１３とで断面略コ字形に形成し、その下側の対向片１３の下方に、該対向片１３との間にＨ型鉄骨梁の下部フランジ２ｂを挟んで固定するための折返し片１４を一体に設ける。また上側の対向片１２にボルト螺合用の雌ねじ孔１２ａを形成すると共に、その雌ねじ孔１２ａに螺合して上記一対の対向片１２・１３間に挿入される上記横材２０の抜け止め係止用の固定ボルト１５を備えたものである。図中１３ａは下側の対向片１３の幅方向（図１でＷ方向）両側に設けた起立片で、その両起立片１３ａ・１３ａによって、上記一対の対向片１２・１３間に挿入される横材２０が幅方向（図１でＷ方向）にずれるのを防ぐ構成である。
【００１５】
図２〜図４は上記の支持金具１０を用いて屋根や床材等の水平部材の下面側に天井板を取付ける場合の取付構造の一実施形態を示すもので、図２はその天井板の取付構造の斜視図、図３は図２におけるＡ部の拡大図、図４（ａ）は図３の正面図、同図（ｂ）は（ａ）のｂ−ｂ断面図である。
【００１６】
本実施形態は既存の建物の屋根や床等の水平部材に適用したもので、その水平部材として本例においてはＡＬＣパネル等のコンクリート系パネル１が用いられている。そのパネル１は横方向に隣り合うＨ型鉄骨梁２に渡し掛けるようにして前後及び左右方向に並べて設けられ、図で左右方向に隣り合うパネル１は前記図６（ａ）と同様にスラブプレート等の固定用金物３と鉄筋４およびモルタル５等で固定されているが、そのモルタル５以外は図には省略した。
【００１７】
そして、横方向（図２で左右方向）に隣り合うＨ型鉄骨梁２の下部フランジ２ｂの対向する側の縁部に、それぞれ支持金具１０を取付け、その各支持金具１０に、上記両鉄骨梁２・２間に渡した横材２０の両端部を取付け支持させ、その横材２０に天井板２１をビス２２等で取付けるようにしたものである。
【００１８】
上記各支持金具１０は、それぞれ下側の対向片１３と折返し片１４との間にＨ型鉄骨梁２の下部フランジ２ｂを挟さむことによって、その摩擦力で抜け止め固定されている。また上記横材２０の両端部は、それぞれ上記各支持金具１０の上下の対向片１２・１３間に挿入され、、下側の対向片１３の幅方向両側に設けた起立片１３ａ・１３ａ間に上記横材２０が位置して、それらの起立片１３ａ・１３ａによって幅方向にずれるのが防止されると共に、上側の対向片１２の雌ねじ孔１２ａにねじ込んだ固定ボルト１５で抜け止め固定されている。
【００１９】
なお、上記実施形態は、図２において前後方向に隣り合うパネル１・１間の下方位置に横材２０を渡し、その上記横材２０の下面側にパネル１とほぼ同じ幅寸法（図２で前後方向の寸法）の天井板２１を取付けるようにしたが、横材２０の配置位置や天井板２１の幅寸法は適宜である。また上記天井板２１は、前記水平部材の下面側（図２にあっては多数並べて敷設したコンクリート系パネル１の下面側）の一部またはほぼ全面に設けるようにしてもよい。
【００２０】
上記のように構成された天井板の取付構造を施工するに当たっては、例えば以下の要領で施工すればよい。図５（ａ）〜（ｅ）はその施工プロセスの一例を示すもので、図は左側のみを示すが、右側は左側と左右対称に同様の要領で施工すればよい。先ず、前述のように横方向に隣り合うＨ型鉄骨梁２・２の下部フランジ２ｂの縁部にそれぞれ前記支持金具１０を取付ける。その際、図５（ａ）のように各支持金具１０の下側の対向片１３と折返し片１４との間のＵ字状湾曲部と反対側の開口部を、下部フランジ２ｂの縁部に向けて挿入する。すると、図５（ｂ）のように各支持金具１０の下側の対向片１３と折返し片１４との間に下部フランジ２ｂの縁部が狭持された状態で固定される。
【００２１】
その状態で、上記各支持金具１０の上下の対向片１２・１３間に、予め所定の長さに切断した横材２０の両端部を、それぞれ図５（ｃ）のように挿入するもので、その際、横材２０の一端側を一方の支持金具１０に挿入した後、他端側を他方の支持金具１０に、そのままでは挿入しずらい場合には、その横材２０の長手方向中央部付近をやや撓めながら挿入するればよい。なお、本実施形態のように前記起立片１３ａの立ち上がり高さを低く形成しておくと、上記各支持金具１０を、図５（ｃ）のように鉄骨梁２の下部フランジ２ｂに取付けてからでも、上記横材２０の端部を、図で前後方向手前側または向こう側から上下の対向片１２・１３間に挿入することができる。また場合によっては、上記横材２０の両端部に予め各支持金具１０を装着してから、その各支持金具１０を上記各鉄骨梁２・２の下部フランジ２ｂに係合保持させるようにしてもよい。
【００２２】
次いで、図５（ｄ）のように上記横材２０の両端部を、各支持金具１０の下側の対向片１３上に載置すると共に、前記一対の起立片１３ａ・１３ａ間に位置させることによって上記横材２０の幅方向（図５（ｄ）で前後方向）のずれを防止することができる。又その状態で、万一上記各支持金具１０に鉄骨梁２と反対方向の力、すなわち各支持金具１０が下部フランジ２ｂの縁部から外方に抜ける方向の力が作用としても、各支持金具１０の縦片１１が横材２０の端部に当接して各支持金具１０が下部フランジ２ｂから脱落するのを防止することができる。
【００２３】
次に、上記図５（ｄ）のように各支持金具１０の上側の対向片１２に形成した雌ねじ孔１２ａに固定ボルト１５をねじ込んで、そのボルト１５の先端を横材２０の両端部上面に押し付けると、上記横材２０の両端部を各支持金具１０に固定することができる。その状態で、図５（ｅ）のように横材２０の下面側に天井板２１をビス２２等で取付ければよく、それによって前記水平部材としてのパネル１の下面側を上記天井板２１で覆うことができる。その結果、上記パネル１が万一破損して破片の落下や剥落等が生じても、それを上記天井板２１が受け止めて、それよりも下方の室内等に破片や剥離部が落下するのを未然に防止することができるものである。
【００２４】
上記の天井板の敷設工事は、上記のように極めて容易かつ迅速に施工できると共に、例えば既存の建物にあっては使用している状態でも施工することができる。従って、使用者への負担が少なく、また必要なときに短時間で施工できるので、施工コストやそれに付随するコストも少なくて済む等の利点がある。
【００２５】
なお、上記実施形態は、天井板２１を横材２０の下面側に取付けたが、横材２０の上面側に取付けてもよい。また上記実施形態は屋根や床材等の水平部材としてＡＬＣパネル等のコンクリート系パネルを用いた場合を例にして説明したが、これに限らず、他のコンクリート系パネルや石膏ボート等その他各種材質のものを水平部材として用いる場合にも適用することができる。
【産業上の利用可能性】
【００２６】
以上のように本発明によれば、ＡＬＣパネル等のコンクリート系パネルやその他のパネルを屋根や床材等の水平部材として用いた場合において、その水平部材が万一破損した場合の破片落下防止対策として上記水平部材の下面側に天井板を容易・迅速に敷設することができるもので、安全性を向上できる他、施工に溶接などの特別な技術を要しないため、比較的簡単な工事が可能である。また、コスト面や更には使用者への負担を減らすことができるため、産業上も極めて有効かつ適切に利用することができるものである。
【図面の簡単な説明】
【００２７】
【図１】本発明による天井板取付用横材の支持金具の一実施形態を示す斜視図。
【図２】天井板の取付構造の一実施形態を示す斜視図。
【図３】図２におけるＡ部の拡大図。
【図４】（ａ）は図３の正面図、（ｂ）は（ａ）のｂ−ｂ断面図。
【図５】（ａ）〜（ｅ）天井板取付構造の施工プロセスの一例を示す説明図。
【図６】（ａ）は従来の屋根や床材等の水平部材の構成例を示す縦断面図、（ｂ）および（ｃ）は上記水平部材に衝撃や過大な積載荷重等が掛かった状態の同上図。
【符号の説明】
【００２８】
１  パネル（水平部材）
２  Ｈ型鉄骨梁（建物躯体）
３  固定用金物
４  目地鉄筋
５  モルタル
６  防水層
１０  支持金具
１１  縦片
１２、１３  対向片
１２ａ  雌ねじ孔
１３ａ  起立片
１４  折返し片
１５  固定ボルト
２０  横材
２１  天井板
２２  ビス
【図１】
2009250004.tif 000003
【図２】
2009250004.tif 000004
【図３】
2009250004.tif 000005
【図４】
2009250004.tif 000006
【図５】
2009250004.tif 000007
【図６】
2009250004.tif 000008